(57)【要約】【課題】  本発明の扉用ハンドルのロック装置は、ハンドルの回転といった動きを阻止することにより、解錠や破錠を防止することを目的とする。【解決手段】  ハンドルの位置を止め金が固定枠体に係止した状態を堅固にするために、ハンドルの回転をストッパー部で阻止するとともに、錠によりそのストッパー部阻止状態を保持するようにしたことを特徴とするハンドルのロック装置。【選択図】      図２
2006016797.tif 000002
【特許請求の範囲】
【請求項１】
扉の外側に設けたハンドルを所定角度回動させることで、扉に貫通したハンドルの操作軸部を回動させてその先部に有る扉の内側の止め金を固定枠体に係脱する扉用ハンドルにおいて、
前記ハンドルの位置が前記止め金を固定枠体に係止した状態で、前記ハンドルの動きを阻止するストッパー部を回動自在に設け、かつ前記ストッパー部が前記ハンドルの動きを阻止した状態に保持するとともにその保持状態を維持する錠を、前記ストッパー部に設けたことを特徴とする扉用ハンドルのロック装置。
【請求項２】
前記回動自在なストッパー部は、扉に固定した取付板と該取付板に立設した係止板と、該係止板に枢着することで前記ハンドルの先端部を包囲して維持する枠部材とからなり、前記係止板に設けた錠孔に南京錠の掛金を差し込むことにより前記ハンドルの先端部を包囲した枠部材が落ちないようにしたことを特徴とする請求項１に記載の扉用ハンドルのロック装置。
【請求項３】
前記ハンドルで操作軸部を回転可能にするために、鍵によるシリンダー錠の回転で軸受筒部からラッチを解放し、前記ハンドルを廻して操作軸部を回転することで、前記止め金を固定枠体から外すようにしたことを特徴とする請求項１又は２に記載の扉用ハンドルのロック装置。
【発明の詳細な説明】
【技術分野】
【０００１】
本発明は、例えば配電盤収納ボックス等に使用されるもので、扉に設けたハンドルを所定角度回動することで止め金が固定枠体側から係脱する扉用ハンドルのロック装置に関する。
【背景技術】
【０００２】
屋外配電盤収納ボックス等の固定枠体側から扉を開閉するために、下記特許文献に見られる、図５と図６で示すＬ型のハンドルが扉側に取り付けられている。このＬ型ハンドルは、扉１に固着する受座本体２の内部軸孔３にハンドル４の操作軸部５を回動可能に嵌挿し、固定枠体６側の受金部７に係脱する止め金８を操作軸部５の先端に連結したもの、また上記に加え、操作軸部５の前面に開口した受孔９を設けて、受孔９の内壁透孔１０から軸孔３の内面凹部１１に係合して操作軸部５を受座本体２に対して回動不能に錠止するラッチ１２を前記受孔９の先端部に収容し、受孔９の前端部に錠前ユニット１３を収容して操作軸部５を固定し、ラッチ１２を内壁透孔１０から出没駆動させるカム部１４を先端に設けたジョイント部材１５を受孔９の中間部に回転可能に収容し、ジョイント部材１５の前端部を錠前ユニット１３のロータ１６に連動可能に連結したものも広く知られている。
上記扉用ハンドルのロックとしてシリンダー錠を設けた錠前ユニット等を設けることは、当然セキュリティの面を考慮したものであるが、最近の錠前破りのテクニックは相当進んでおり、このシリンダー錠のみでの防犯対策には限界があり、不十分と云える。
【特許文献１】特許第２４２４４５２号
【発明の開示】
【発明が解決しようとする課題】
【０００３】
本発明の課題は、上記防犯対策に適合する、すなわち見た目にも、物理的にも破錠を諦めさせるか、試みたとしても人では困難な扉用ハンドルのロック装置を提供することにある。
【課題を解決するための手段】
【０００４】
本発明は、上記目的に鑑みてなされたものであり、その要旨は扉の外側に設けたハンドルを所定角度回動させることで、扉に貫通したハンドルの操作軸部を回動させてその先部に有る扉の内側の止め金を固定枠体に係脱する扉用ハンドルにおいて、前記ハンドルの位置が前記止め金を固定枠体に係止した状態で、前記ハンドルの動きを阻止するストッパー部を回動自在に設け、かつ前記ストッパー部が前記ハンドルの動きを阻止した状態に保持するとともにその保持状態を維持する錠を、前記ストッパー部に設けたことにある。
上記構成により、ハンドルは錠の存在位置から解放しない限りストッパー部での動きを阻止できるために、止め金は固定枠体から外れることはない。
【０００５】
別の発明の要旨として前記回動自在なストッパー部は、扉に固定した取付板と該取付板に立設した係止板と、該係止板に枢着することで前記ハンドルの先端部を包囲して維持する枠部材とからなり、前記係止板に設けた錠孔に南京錠の掛金を差し込んむことにより前記ハンドルの先端部を包囲した枠部材が落ちないようにしたことがある。
この発明では、錠孔を設けた係止板を扉に固定しておき、この係止板にピンで枢着した枠部材を回転することでハンドル先部を囲繞し、しかも前記枠部材を前記係止板の錠孔がある位置の上方まで通過させてから、前記錠孔に南京錠の掛金を差し込むことで、前記ハンドルを強固に囲繞包囲した枠部材が落ちないようにして、前記ハンドルの回転による止め金の固定枠体からの離脱を阻止している。
【０００６】
本発明のその他の要旨として、前記ハンドルで操作軸部を回転可能にするために、鍵によるシリンダー錠の回転で軸受筒部からラッチを解放し、前記ハンドルを廻して操作軸部を回転することで、前記止め金を固定枠体から外すようにしたものがある。
この発明は、単にハンドルを所定角度回動させることでハンドルの操作軸部を回動させて扉の内側の止め金を配電盤収納ボックス等の本体部である固定枠体に係脱できる場合の他に、ハンドル自体にシリンダー錠を設けたものである。
【発明の効果】
【０００７】
本発明によれば、ハンドルにタンブラー錠などの錠前を付したものと、付さないもののどちらにも、ハンドルの回動を規制するストッパー部を扉に設けたことで、従来タンブラー錠のないものはもちろん、あるものはタンブラー錠をヘヤピンなどで解錠して扉を簡単に開けていたものを、ハンドルそのものの動きをストッパー部で阻止するとともに、このストッパー部に錠を掛けて、視覚的にも物理的にも解錠できないようにした。
【０００８】
また、別の発明では、上記枠部材を扉の係止板部に枢着し、該枠部材を回転してハンドルの先部を囲むように回転することで、前記係止板の鍵孔がある箇所を通過させ、しかる後にこの枠部材を上記ハンドルを囲んでいる状態から落ちないように、係止板の鍵孔に南京錠を掛けることにより、ハンドルの操作軸部の先部にある止め金を固定枠体にから外れないようにした。
【発明を実施するための最良の形態】
【０００９】
扉の表側から止め金板を外すには、ハンドルを回転する外はないという前提で、このハンドルの回転を阻止するストッパー部を設け、かつストッパーがハンドル阻止状態を維持する錠を、扉の外側に設けた。
【実施例】
【００１０】
前記従来例（図５と図６）をさらに詳述するために、前述の付番（付番１〜１６）に続いて、第１回乃至第４回により説明する。
錠前ユニット１３としては、公知のピンタンブラー錠機構やディスクタンブラー錠機構を組み込んだシリンダー錠が使用されており、錠前ユニット１３の固定本体部分は操作軸部５と一体に形成され、ディスクタンブラ−を実装したロータ１６のみが操作軸部５の受孔９に挿入され、ロータ１６の先端部には抜け止めリング１６ｂが嵌められている。ロータ１６の横断面小判形の連動軸部１６ａは、円柱状のジョイント部材１５の前端部の割溝部２１に嵌め込まれている。ジョイント部材１５のカム部１４は先端面に偏心させて突設され、ラッチ１２の基端部の受動溝２２に挿入されている。
上記ジョイント部材１５の外周面に環状溝１７を設け、操作軸部５の受孔９の内面に圧接するＯ−リング１８を該環状溝１７に嵌め入れる。
【００１１】
閉鎖状態において扉１は止め金８が受金部７に係合することによって固定枠体６に対して開放不能に錠止されている。ラッチ１２の先端部は受座本体２の内面凹部１１に係合している。扉１を開放するには、錠前ユニット１３のロータ１６の鍵孔１９に所定の鍵２０を挿入し、錠前ユニット１３のロータ１６の錠止を解除してから、鍵２０でロータ１６を所定方向に回転させる。
ロータ１６に連動してジョイント部材１５が回転するため、カム部１４によって牽引駆動されたラッチ１２は、先端部が受座本体２の内面凹部１１から脱出し、操作軸部５の内壁透孔１０に引き込まれる。これによって受座本体２に対する操作軸５の錠止が解除されるため、ハンドル４は回転可能となり、ハンドル４を所定方向に回すことによって、止め金８が固定枠体６側の受金部７から離脱する。そのため、扉１はハンドル４を手前に引くことによって開放される。
【００１２】
止め金８は基端部の角孔２３にて操作軸部５の先端角軸部５ａに嵌められ、座金２４を介して締付ボルト２５によって操作軸部５に連結されている。ハンドル４には錠前ユニット１０の前面を閉塞するキャップ２６が枢着されている。キャップ２６の軸部２７はハンドル４の透孔２８に挿通され、該軸部２７には抜止め用ビス２９がねじ込まれ、ビス２９の座金３０とハンドル４の間には、キャップ２６をハンドル側に引き寄せる圧縮コイルバネ３１が挿入されている。
受座本体２の軸孔３の前端部内面には環状受溝３２が設けられ、環状受溝３２には操作軸部５の外周面に圧接するＯ−リング３３が嵌め込まれている。このＯ−リング３３によって、受座本体２とハンドル４の合わせ目からの雨水の侵入が阻止されている。受座本体２は扉１の取付孔３４に軸受筒部３５を嵌挿され、中間鍔部３６の背面突起３７を扉１の回転止め孔３８に挿入して、ネジ３８’で止めされ、軸受筒部３５にねじ合わせたナット３９によって扉１に締付け固着される。中間鍔部３６と扉１の間には円形パッキング４０が挿入されており、該パッキング４０は前記取付孔３４や回転止め孔３８からの雨水の侵入を阻止している。
【００１３】
以下に、本発明の要部を上記従来のＬ型のハンドルを用いて説明する。
ハンドルの下方先端部付近の扉１には取付板４１と取付板４１から立設した係止板４２からなる略Ｔ字型の固定具４３を、取付板４１の貫通孔４４と扉１を貫通してボルト４５で固定する。また、上記係止板４２には南京錠４６の掛金４７を掛ける錠孔４８と、この錠孔４８から取付板４１寄りの上方の係止板４２にはピン４９で枢着したシャベル状の枠部材５０を設け、上記固定具４３とともにストッパー部５１を形成する。
このストッパー部５１は、枠部材５０を切欠部５２により上下矢印方向に回転し、前記ハンドルの下方先端部４’を包囲し、南京錠４６の掛金４７を錠孔４８に掛けて錠をすることで、矢印と逆方向には戻らないようにする（図１と図２）。
この状態で、ハンドルは横方向には動けなく、したがって止め金板８を固定枠体６から外すことができない。
【００１４】
一方、上記錠４６を外すと自重により枠部材５０はピン４９により上記した矢印とは逆の下方に落下することで、ハンドルの下方先端部４’の拘束は解除され（図３，図４）  、ハンドル４を図１で示す矢印方向へ回転することにより止め金８も同様に廻して固定枠体６への係止状態を外すことで、蝶番（図示せず）で枢着している扉１を図面上手前方向へ開くことができる。
もちろん、上記操作を逆にすることにより、止め金８は固定枠体６に係止されて扉１は締まり錠が掛けられる（図１，図２）。
【００１５】
なお、上記枠部材５０がハンドル下方先端部４’の包囲から外れた状態で、ハンドル４のキャップ２６を軸部２７で回転してから、鍵２０でシリンダー錠のラッチ１２を外して上記ハンドル４を廻すことができ、すなわちハンドル４を回転可能にするには、ストッパー部とシリンダー錠の二重の解除操作を経なければならないことは云うまでもない。
【産業上の利用可能性】
【００１６】
屋外配電盤収納ボックスの他に、部外者が無断で立ち入らないようにした筐体などの扉において、本発明を利用することができる。
【図面の簡単な説明】
【００１７】
【図１】本発明の実施例であり、南京錠をかけてハンドルをロックした状態の正面図である。
【図２】図１のハンドル部分の縦断面図である。
【図３】上記南京錠をはずしてハンドルをフリーにした状態の正面図である。
【図４】図３の状態の縦断面図である。
【図５】従来の扉用ハンドルの正面図である。
【図６】図５の主部縦断面図である。
【符号の説明】
【００１８】
１  扉
４  ハンドル
６  固定枠体
８  止め金
４１  取付板
４２  係止板
４３  固定具
４６  南京錠
５０  枠部材
５１  ストッパー部
【図１】
2006016797.tif 000003
【図２】
2006016797.tif 000004
【図３】
2006016797.tif 000005
【図４】
2006016797.tif 000006
【図５】
2006016797.tif 000007
【図６】
2006016797.tif 000008